(57)【要約】【課題】  被用者に違和感を与えることなく、装着したままで洗髪することができ、かつ、熟練を要せず短時間で装着することができるカツラを開発する。【解決手段】  カツラ用ベース部材の周縁部を内層テープおよび上層テープからなる二層構造とし、その内層テープに毛髪を通すためのスリットを適宜の間隔で設け、このスリットから毛髪を通して、両テープ間に接着剤で毛髪を固定するようにしたカツラ用ベース部材およびその装着方法。【選択図】  図４
2005060897.tif 000002
【特許請求の範囲】
【請求項１】
カツラ装着用ベース部材の周縁部をテープ材からなる内層と上層の二層構造とし、内層のテープ材に毛髪を通すためのスリットを適宜間隔で設けたことを特徴とするカツラ装着用ベース部材。
【請求項２】
上記二層部分が、３ｍｍ〜２０ｍｍ幅のものである請求項１記載のカツラ用ベース部材。
【請求項３】
カツラ装着用ベース部材周縁部の内層テープに適宜間隔で設けた各スリットから毛髪を毛根近傍まで引出したのち、該毛髪を内層テープと上層テープとの間に接着剤を用いて固定することを特徴とするカツラ装着用ベース部材の装着方法。
【発明の詳細な説明】
【技術分野】
【０００１】
本発明は、カツラ装着用ベース部材に関するものであり、詳しくは、カツラ装着用ベース部材の周縁部を内層と上層の二層構造とした装着及び脱着が容易なカツラ装着用ベース部材及びその装着方法に関する。
【背景技術】
【０００２】
自然に又は病気或いは投薬等によって頭髪が薄くなったり、部分的にまたは全面的に脱毛した場合、カツラ、ヘヤーピース等の装着によるほかに、増毛或いは植毛が行われているが、被用者の負担が軽いことから、一般的にはカツラの装着による方法が普及している。
カツラの装着方法としては、これまでに様々な方法が提案されているが、一般に普及している方法は、次の１）〜３）記載の系統に分けることができる。
【０００３】
１）ピン、ストッパーなどの金具を用いる方法。
この方法は、カツラの内側にピン、ストッパーなどの金具を取り付け、これに自毛を絡ませて装着する方法である。この方法は、自毛を金具に挟んでカツラを装着するため、自毛に負担がかかり、時に痛みを感じたり脱毛に至る場合や、装着したまま洗髪した場合、緩みが生じカツラが外れる心配がある。そのため、洗髪時には、その都度カツラを外す煩わしさがあり人前での洗髪には恥じらいを感じる。
【０００４】
２）両面テープを用いる方法
この方法は、カツラの裏面に両面テープを取り付け、頭皮に直接貼り付けて装着する方法である。この方法は、自毛が僅かでも残っている場合、その自毛が両面テープの間に入り、固着性が悪くなるほか、取り外す場合はテープに付いた自毛を１本ずつはずす必要があるため、主に全面的に脱毛した場合に用いられる。しかし、発汗や洗髪などで両面テープが塗れた場合には接着力が低下し、カツラが外れてしまう心配があり、多汗質の人やスポーツを行う人には向かない。
【０００５】
３）編み込み方法
この方法は、カツラのベース周囲の大きさに合わせ自毛を三つ網状に編み込む方法で、自毛の長さが少なくとも７ｃｍ程度を必要とする。また、三つ編みは自毛が引っ張られた状態になって装着感が悪くなるうえ、側頭部周辺が厚くなり不自然さを免れない。さらに、この方法は、装着に熟練が必要であり、その装着にも１．５〜２時間を要し被用者に負担を強いることになる。
【０００６】
また、最近、カツラの装着方法として、数十本の毛髪からなる毛髪束を複数本の撚り糸を用いて、この毛髪束を撚回して編み込み、くくり糸により形成したループ内に毛髪束を挿通して固定する方法（特許文献１参照）、カツラの周縁部の自毛を糸を用いて適宜の間隔で編み足を形成し、隣り合う編み足を連結して頭部にアンカーを形成し、このアンカーを頭部に取り付ける方法（特許文献２参照）、あるいは、ベース部材の挿通孔にガイド糸を用いて自毛を通し、この自毛を束ねて近傍に開設した係止孔に挿通してからベースの下側に引き出して固定する方法（特許文献３参照）などの方法が特許にみられる。しかし、これらの装着方法は、いずれも長い自毛を必要とするうえ、撚り糸、連結用チューブ等の補助部材を用いなければならず熟練と手数がかかる方法である。
【０００７】
【特許文献１】特開平２−４１４０４号公報
【特許文献２】特開平９−３２４３１６号公報
【特許文献３】特開平１０−７７５１３号公報
【発明の開示】
【発明が解決しようとする課題】
【０００８】
本発明の課題は、従来のカツラの装着方法が上記の如き諸問題を有することに鑑み、被用者に違和感を与えることなく、また、装着したまま洗髪することができ、しかも熟練を必要とせずに短時間で装着することができるカツラを開発することにある。
【課題を解決するための手段】
【０００９】
本発明者は、上記課題を解決するためカツラの改良研究を鋭意進めた結果、カツラ装着用のベース部材の周縁部を二層構造とし、その内層に適宜間隔で毛髪を通すためのスリットを設けることによって、熟練を要することなく、適格かつ確実に装着することができ、また、使用者に違和感を与えず、装着したままで洗髪することができる簡便なカツラ装着用ベース部材の開発に成功した。
【００１０】
すなわち、本発明は、カツラ装着用ベース部材の周縁部をテープ材により内層および上層からなる二層構造とし、その内層のテープ材に毛髪を通すためのスリットを適宜間隔で設けたことを特徴とするカツラ装着用ベース部材を提供するものである。
また、本発明は、カツラ装着用ベース部材周縁部の内層テープに適宜間隔で設けた各スリットから毛髪を毛根の近傍まで引出し、該毛髪を内層テープと上層テープとの間に接着剤を用いて固定することを特徴とするカツラ装着用ベース部材の装着方法を提供するものである。
【発明の効果】
【００１１】
本発明のカツラ装着用ベース部材は、周縁部にスリットを設けた内層テープとスリットのない上層テープとからなる二層構造としたのみで、他に補助部材を使用しない極めて単純な構成からなるものであるので、その製作費は極めて廉価である。そして、従来法のように、毛髪を結ぶとか編み込むなどの手段によらず、両テープ間での接着によるものであるから、その装着は、熟練を要することなく短時間で行うことができる。また、被用者は、違和感をほとんど感ずることがなく、装着したままで洗髪することもできる。
以下、図１〜図４に示した実施例により本発明を詳細に説明する。
【発明を実施するための最良の形態】
【００１２】
図１は、本発明のカツラ装着用ベース部材１を広げた状態を上からみた図であり、２は、周縁部に取り付けた内層及び上層の２層からなるテープ材であり、８は、一般に用いられている樹脂等で作られた線材を編んで作られた保持体である。カツラはこの保持体に人工毛もしくは天然の毛（図４：９）を結び付けて作られる。図２は、カツラ装着用ベース部材１の側面図であり、２層テープの一部分を広げて示したものである。図中、３は内層テープであり、４は上層テープであり、５は内層テープ３に設けたスリットである。図３は、内層テープ３をスリット５から毛髪６を引出した状態の一部拡大図である。図４はカツラ装着用ベース部材１を装着した状態の斜視図であり、内層テープ及び上層テープの一部を開いて示してある。なお、カツラは、保持体８に植毛され、また自毛が存在する場合は、保持体８間の間隙から引出される
【００１３】
内層テープ３及び上層テープ４に用いる材料は、通常同一の材料が用いられ、ポリウレタン、ポリシリコン、ポリエステル等保持部材としても多く用いられている樹脂材料が使用される。その中でも、ポリエステルからなるテープで、厚さが０．４５±０．１ｍｍ、幅（図１：ａ）が３〜２０ｍｍ、好ましくは５〜１５ｍｍ程度のものであり、頭部にフィットする適度の柔軟性をもつ材質のテープが用いられる。
【００１４】
内層テープ３に設けるスリット５は、毛髪を通すことができれば特に限定するものではなく、丸孔、長方形の孔等でもよいが、毛髪の保持あるいは密封性などの点からスリット状が好ましく、さらに、スリット状でも単に切り込みを付けたものが好ましい。これは切り込みを付しただけのスリットでも作業効率はほとんど変わらず、頭皮からの汗がスリットを通して接着剤の接着力を低下するのが防がれるからである。また、スリットの幅及び個数は、被用者の残毛状態、それに応じたカツラの大きさにより適宜決められるが、通常、２〜５ｍｍ幅で、３〜５ｃｍ間隔に１０〜２５箇所設ける。なお、スリットの両側には、亀裂防止のために慣用されている小孔７を設けるとよい。
【００１５】
毛髪の固定に用いる接着剤は、強力な接着力を有するものでなく、貼り合わせた状態で適度の可撓性を有し、他方、取り外す場合剥離剤で容易に除去することができる接着剤が適している。例えば、膨潤剤加えて固着力を低下ないし緩和した天然ゴムラテックス系接着剤があげられる。市販されている接着剤には、ミゼイン・天然ラテックス（（株）プリマ粧業製）がある。他方接着剤の除去剤としては、シクロへキサンを主成分とする非水溶性の溶剤が優れた除去性を有し、また安全性の点からも好ましい。この種の除去剤として、シクロヘキサン・ａアクロゾール（（株）中井商店製）が市販されている。
【００１６】
次に、装着方法について説明する。
被用者の頭部の型取りを行ったベース部材を用意し、このベース部材の周縁部にスリットを付した内層テープとスリットを付していない上層テープとを取り付け、他方ベース部材の保持体８全体に天然の毛もしくは人工毛９（図４）を編み込んで植毛し所望の大きさのカツラを作る。このカツラを被用者の頭に載せ、内層テープのスリットから治具を用いて数本の自毛を毛根の近傍まで引き出す（図３）。この引き出しをカツラの全周のスリットに対して行う。次に、各引き出した自毛を順次接着剤を塗布して両テープ間で固定する。なお、この接着剤を塗布した箇所（あるいは内層スリットの位置）に対応する上層テープ内面４´に両面テープを張って接着剤と併用すると、カツラを取り外す際に剥がれ易くなって好適である。
【００１７】
以上説明したように、本発明のカツラ装着用ベース部材によれば、その装着に従来法のように自毛を補助部材に編込む等の手段を用いないので、自毛の長さはスリットから引出して内層テープに接着して固定するのに１ｃｍ程度あれば十分であり、しかもその装着に要する時間は、カツラが小さい場合は５分程度、大きいカツラでも２０分程度で終了する。したがって、本発明のカツラ装着用ベース部材は、簡便さ、被用者の装着上の負担、価格等のいずれにおいても、従来品とは各段の差があり、その実用的価値は極めて高い。
【図面の簡単な説明】
【００１８】
【図１】本発明の一例を示すカツラ装着用ベース部材を開いた状態の上面図である。
【図２】同カツラ用ベース部材の内層及び上層テープの一部を広げた状態の側面図である。
【図３】同カツラ用ベース部材の内層テープのスリットに毛髪を通した状態を示した一部拡大図である。
【図４】同カツラ用ベース部材を被用者に装着した状態の斜視図である。
【符号の説明】
【００１９】
１      カツラ用ベース部材
２      テープ部材
３      内層テープ
４      上層テープ
４´    上層テープ内面
５      スリット
６      毛髪
７      小孔
８      保持体
９      人工毛
【図１】
2005060897.tif 000003
【図２】
2005060897.tif 000004
【図３】
2005060897.tif 000005
【図４】
2005060897.tif 000006